【手続補正書】
【提出日】平成17年5月18日(2005.5.18)
【手続補正１】
【補正対象書類名】明細書
【補正対象項目名】請求項３
【補正方法】変更
【補正の内容】
【請求項３】
半透明粉体の含有量が１〜１５重量％であることを特徴とする、請求項１又は２に記載の乳化化粧料。
【手続補正２】
【補正対象書類名】明細書
【補正対象項目名】０００７
【補正方法】変更
【補正の内容】
【０００７】
【発明の実施の形態】
（１）本発明の化粧料の必須成分である高重合度メチルポリシロキサン
本発明の高重合度メチルポリシロキサンは、ジメトキシジメチルシロキサンとメチルトリメトキシシロキサンとの混合物を、アルカリなどを触媒として、重合して得られる、架橋型のメチルポリシロキサンであって、ジメチルポリシロキサン環状５量体等のシリコーン系溶剤と任意の割合で混ざり合い、そのものの状態は粘凋性流体乃至は可塑性固体であるものを意味する。この様なものは上記の如く、ジメトキシジメチルシロキサンとメチルトリメトキシシロキサンとの混合物の重合反応によって得ることもできるが、既に市販されているものもあり、そのものを利用することもできる。この様な市販品としては、例えば、信越化学株式会社製のシリコーンＫＦ９０１０（２０％ジメチルポリシロキサン環状５量体溶液が例示できる。）が好ましく例示できる。これら高重合度メチルポリシロキサンは、シワの溝に、後述する、シワ充填成分である半透明粉体を、汗や皮脂の影響を受けずに固着する作用を有する。このものにより固着することにより、光学的効果も損なわれないのでシワの存在を目立たなくさせることが出来る。本発明の化粧料に於ける、高重合度メチルポリシロキサンの好ましい含有量は、０．０１〜１０重量％であり、更に好ましくは０．１〜５重量％である。これは、少なすぎると固着力が損なわれることがあり、多すぎると効果が頭打ちになり、べたつく等の使用感でのデメリットが大きくなる場合があるからである。又、多すぎると乳化性も損なわれることがある。
【手続補正３】
【補正対象書類名】明細書
【補正対象項目名】０００９
【補正方法】変更
【補正の内容】
【０００９】
（３）本発明の化粧料の必須成分である、揮発性油剤
本発明の化粧料は、揮発性油剤を必須成分とする。本発明で言う揮発性油剤とは、１気圧での沸点が２００℃以下の炭化水素類、エステル類又はジメチルポリシロキサン類を言う。化粧料原料であれば、例えば軽質イソパラフィン、１０センチストークス以下の低粘度ジメチコン、ジメチルポリシロキサン環状重合体（３〜６量体）等が好ましく例示できる。この中ではシリコーンが好ましく中でもジメチルポリシロキサン環状重合体が好ましい。これは、充填剤に与える光学効果の変化の少なさと安全性の高さからである。環状重合体の中では、特に５量体が好ましい。本発明の化粧料に於ける、これら揮発性油剤の好ましい含有量は、２０〜７０重量％であり、更に好ましくは４０〜６０重量％である。本発明の揮発性油剤は、上記充填剤である半透明粉体と固着剤である高重合度メチルポリシロキサンとを均一にシワの溝に充填する作用を有する。
【手続補正４】
【補正対象書類名】明細書
【補正対象項目名】００１２
【補正方法】変更
【補正の内容】
【００１２】
＜実施例１＞以下に示す処方に従って、本発明のシワ隠し用の乳化化粧料を作製した。即ち、イ、ロ、ハをそれぞれ８０℃に加熱し、イにニを加え分散し、これにロを徐々に加え乳化し、更にハを加えて中和して、攪拌冷却して本発明の乳化化粧料を得た。
イ
セチルイソオクタネート                            ２    重量部
ジメチルポリシロキサン環状５量体                ５２    重量部
流動パラフィン                                    ５    重量部
シリコーンＫＦ９０１０                            ２    重量部
ステアリン酸                                      １    重量部
グリセリルモノステアレート                        ０．５重量部
ポリオキシエチレン（１０）ステアリン酸エステル    １    重量部
ポリオキシエチレン（１５０）ステアリン酸エステル  １    重量部
蜜蝋                                              １    重量部
ロ
１，３−ブタンジオール                            ５    重量部
水                                              １０    重量部
カルボキシビニルポリマー                          ０．１重量部
ハ
１０％水酸化ナトリウム水溶液                      ０．３重量部
水                                              １２．１重量部
ニ
シリカゲル                                        ７    重量部
【手続補正５】
【補正対象書類名】明細書
【補正対象項目名】００１５
【補正方法】変更
【補正の内容】
【００１５】
＜実施例３＞以下に示す処方に従って、本発明のシワ隠し用の乳化化粧料を作製した。即ち、イ、ロ、ハをそれぞれ８０℃に加熱し、イにニを加え分散し、これにロを徐々に加え乳化し、更にハを加えて中和して、攪拌冷却して本発明の乳化化粧料を得た。このものはやはり優れたシワ隠し効果を有していた。
イ
セチルイソオクタネート                            ２    重量部
ジメチルポリシロキサン（１０ｃｓ）              ５２    重量部
流動パラフィン                                    ５    重量部
シリコーンＫＦ９０１０                            ２    重量部
ステアリン酸                                      １    重量部
グリセリルモノステアレート                        ０．５重量部
ポリオキシエチレン（１０）ステアリン酸エステル    １    重量部
ポリオキシエチレン（１５０）ステアリン酸エステル  １    重量部
蜜蝋                                              １    重量部
ロ
１，３−ブタンジオール                            ５    重量部
水                                              １０    重量部
カルボキシビニルポリマー                          ０．１重量部
ハ
１０％水酸化ナトリウム水溶液                      ０．３重量部
水                                              １０．１重量部
ニ
メチルシロキサン網状重合体                        ９    重量部
【手続補正６】
【補正対象書類名】明細書
【補正対象項目名】００１６
【補正方法】変更
【補正の内容】
【００１６】
＜実施例４＞以下に示す処方に従って、本発明のシワ隠し用の乳化化粧料を作製した。即ち、イ、ロ、ハをそれぞれ８０℃に加熱し、イにニを加え分散し、これにロを徐々に加え乳化し、更にハを加えて中和して、攪拌冷却して本発明の乳化化粧料を得た。このものはやはり優れたシワ隠し効果を有していた。
イ
セチルイソオクタネート                            ２    重量部
ジメチルポリシロキサン（１０ｃｓ）              ５２    重量部
流動パラフィン                                    ５    重量部
シリコーンＫＦ９０１０                            ２    重量部
ステアリン酸                                      １    重量部
グリセリルモノステアレート                        ０．５重量部
ポリオキシエチレン（１０）ステアリン酸エステル    １    重量部
ポリオキシエチレン（１５０）ステアリン酸エステル  １    重量部
蜜蝋                                              １    重量部
ロ
１，３−ブタンジオール                            ５    重量部
水                                              １０    重量部
カルボキシビニルポリマー                          ０．１重量部
ハ
１０％水酸化ナトリウム水溶液                      ０．３重量部
水                                              １０．１重量部
ニ
架橋型ジメチルポリシロキサン樹脂粉体              ４    重量部
シリカゲル                                        ５    重量部
【手続補正７】
【補正対象書類名】明細書
【補正対象項目名】００１７
【補正方法】変更
【補正の内容】
【００１７】
＜実施例５＞以下に示す処方に従って、本発明のシワ隠し用の乳化化粧料を作製した。即ち、イ、ロ、ハをそれぞれ８０℃に加熱し、イにニを加え分散し、これにロを徐々に加え乳化し、更にハを加えて中和して、攪拌冷却して本発明の乳化化粧料を得た。このものはやはり優れたシワ隠し効果を有していた。しかし、シリカゲルの分散と乳化状態は実施例１の方が良好であった。
イ
セチルイソオクタネート                            ２    重量部
ジメチルポリシロキサン（１０ｃｓ）              ５２    重量部
流動パラフィン                                    ５    重量部
シリコーンＫＦ９０１０                            ２    重量部
ステアリン酸                                      １    重量部
グリセリルモノステアレート                        ０．５重量部
ポリオキシエチレン（１０）ステアリン酸エステル    １    重量部
ポリオキシエチレン（４５）ステアリン酸エステル    １    重量部
蜜蝋                                              １    重量部
ロ
１，３−ブタンジオール                            ５    重量部
水                                              １０    重量部
カルボキシビニルポリマー                          ０．１重量部
ハ
１０％水酸化ナトリウム水溶液                      ０．３重量部
水                                              １２．１重量部
ニ
シリカゲル                                        ７    重量部